(57)【要約】【課題】見栄えが良く、なお且つ組み立てが容易な組立箱を提供する。【解決手段】正方形Ａからなる底板部３及び天板部４と、底板部３の隣り合う２頂点と天板部４の１頂点とを結ぶ正立二等辺三角形Ｂと、天板部４の隣り合う２頂点と底板部３の１頂点とを結ぶ倒立二等辺三角形Ｃとが交互に隣り合う８つの側板部５ａ〜５ｈと備えて構成される組立箱であって、少なくとも、底板部３と側板部５ｄとの間の１辺を底部折目線Ｌ１とし、残りの３辺を底部切断線Ｍ１とし、天板部４と側板部５ｃとの間の１辺を天部折目線Ｌ２とし、残りの３辺を天部切断線Ｍ２とし、８つの側板部５ａ〜５ｈのうち１つの隣接する正立二等辺三角形Ａと倒立二等辺三角形Ｂとの間の１辺を側部切断線Ｍ３とし、残りの７辺を側部折目線Ｌ３として展開されるシート体２からなる。【選択図】図２
2007331784.tif 000002
【特許請求の範囲】
【請求項１】
正方形からなる底板部及び天板部と、前記底板部の隣り合う２頂点と前記天板部の１頂点とを結ぶ正立二等辺三角形と、前記天板部の隣り合う２頂点と前記底板部の１頂点とを結ぶ倒立二等辺三角形とが交互に隣り合う８つの側板部と備えて構成される組立箱であって、
少なくとも、前記底板部と前記側板部との間の１辺を底部折目線とし、残りの３辺を底部切断線とし、前記天板部と前記側板部との間の１辺を天部折目線とし、残りの３辺を天部切断線とし、前記８つの側板部のうち１つの隣接する前記正立二等辺三角形と前記倒立二等辺三角形との間の１辺を側部切断線とし、残りの７辺を側部折目線として展開されるシート体からなることを特徴とする組立箱。
【請求項２】
前記底部切断線に沿って展開される３つの側板部のうち、前記底板部と連接された側板部に隣接する２つの側板部には、それぞれ前記正立二等辺三角形の底辺に沿った底部折目線を挟んで底部補助板部が連接されている、及び／又は、前記天部切断線に沿って展開される３つの側板部のうち、前記天板部と連接された側板部に隣接する２つの側板部には、それぞれ前記倒立二等辺三角形の底辺に沿った天部折目線を挟んで天部補助板部が連接されていることを特徴とする請求項１に記載の組立箱。
【請求項３】
前記底板部には、前記側板部と連接される一辺と対向する一辺に沿った底部折目線を挟んで底部差込片が連接されている、及び／又は、前記天板部には、前記側板部に連接される一辺と対向する一辺に沿った天部折目線を挟んで天部差込片が連接されていることを特徴とする請求項１又は２に記載の組立箱。
【請求項４】
前記側部切断線に沿って展開される２つの側板部のうち、一方の側板部には、隣接する前記側板部とは反対側の前記正立又は倒立二等辺三角形の斜辺に沿った側部折目線を挟んで側部差込片が連接され、他方の側板部には、隣接する前記側板部とは反対側の前記倒立又は正立二等辺三角形の斜辺に沿った側部折目線を挟んで側部補助板部が連接され、前記側部補助板部と前記他方の側板部との間には、前記側部折目線に沿った側部差込孔が穿設されていることを特徴とする請求項１乃至３の何れか一項に記載の組立箱。
【請求項５】
前記側部補助板部は、前記正立又は倒立二等辺三角形に対応した形状を有し、且つ、前記側部補助板部には、隣接する前記側板部とは反対側の斜辺に沿った側部折目線を挟んで側部補助板部が連接されていることを特徴とする請求項１乃至４の何れか一項に記載の組立箱。
【請求項６】
前記底板部及び前記天板部は、少なくとも前記側部補助板部と折り重なる側板部と対向する側板部以外の側板部に連接されていることを特徴とする請求項４又は５に記載の組立箱。
【発明の詳細な説明】
【技術分野】
【０００１】
本発明は、多面体を構成する組立箱の改良に関する。
【背景技術】
【０００２】
従来より、多面体を構成する組立箱（カートン）がある（例えば、特許文献１〜３を参照）。このような組立箱は、意匠並びに強度に優れているため、例えば物品を収納する収納箱や、液体や粉体等を収容する容器などに用いられている。組立箱は、切断線に沿って展開された紙製のシート体を折目線に沿って折り曲げることにより組み立てられる。したがって、組み立てる前は、嵩張らないようにシート体を折り畳んだ状態で取り扱うのが一般的である。
【０００３】
ここで、従来の組立箱の一構成例を図５及び図６に示す。なお、図５は、この組立箱１００の外観を示す透視斜視図であり、図６は、この組立箱１００を展開したシート体１０１を示す平面図である。なお、図６中において、実線は、シート体１０１の切断線を示し、破線は、シート体１０１の折目線を示す。
【０００４】
この組立箱１００は、図５に示すにように、正方形Ａ’からなる底板部１０２及び天板部１０３と、底板部１０２の隣り合う２頂点と天板部１０３の１頂点とを結ぶ正立二等辺三角形Ｂ’と、天板部１０３の隣り合う２頂点と底板部１０２の１頂点とを結ぶ倒立二等辺三角形Ｃ’とが交互に隣り合う８つの側板部１０４と備えて構成される。
【０００５】
この組立箱１００は、８つの側板部１０４のうち１つの側板部１０４を二等分する切断線Ｍ’に沿って展開された図６に示すような紙製のシート体１０１からなる。このシート体１０１には、上述した底板部１０２や、天板部１０３、８つの側板部１０４の他にも、底板部１０２に連接された底部差込片１０５や、天板部１０３に連接された天部差込片１０６、８つの側板部１０４の何れかに連接された２つの底部補助板部１０７及び２つの天部補助板部１０８が設けられている。さらに、上述した切断線Ｍ’に沿って展開される１つの側板部１０４には、組立後に側板部１０４の内側に折り込まれる側部補助板部１０９が連接されている。一方、この側部補助板部１０９と折り重なる側板部１０４には、上述した切断線Ｍ’に沿って展開される半側板部１０４ａが連接されている。
【０００６】
以上のようなシート体１０１は、組立箱１００を組み立てる際に、半側板部１０４ａを側部補助板部１０９が連接された側板部１０４に貼り合わせる構成となっている。また、このシート体１０１は、貼合せ後に２つの対向する側板部１０４を２等分する折目線Ｌ’に沿って折り畳むことが可能となっている。また、組立箱１は、半側板部１０４ａを側板部１０４に貼り合わせた後に、２つの底部差込片１０５を折り曲げた上から底板部１０２を折り重ねた状態で底部差込片１０５を側板部１０４の内側に差し込むと共に、２つの天部差込片１０６を折り曲げた上から天板部１０３を折り重ねた状態で天部差込片１０６を側板部１０４の内側に差し込むことによって組み立てられる。
【特許文献１】特開２００４−２６９０５２号公報
【特許文献２】特開平９−２８６４２８号公報
【特許文献３】実開平１−１４４３１４号公報
【発明の開示】
【発明が解決しようとする課題】
【０００７】
ところで、従来の組立箱１００では、上述した図６に示すシート体１０１を折り畳んだときに形成される折目線Ｌ’や、半側板部１０４ａを貼り合わせたときに形成される切断線Ｍ’が、組立後に図５に示すような不要な罫線１１０として側板部１０４に残ってしまうため、見栄えが悪くなるといった問題があった。
【０００８】
そこで、本発明は、このような従来の事情に鑑みて提案されたものであり、見栄えが良く、なお且つ組み立てが容易な組立箱を提供することを目的とする。
【課題を解決するための手段】
【０００９】
この目的を達成するために、請求項１に係る発明は、正方形からなる底板部及び天板部と、前記底板部の隣り合う２頂点と前記天板部の１頂点とを結ぶ正立二等辺三角形と、前記天板部の隣り合う２頂点と前記底板部の１頂点とを結ぶ倒立二等辺三角形とが交互に隣り合う８つの側板部と備えて構成される組立箱であって、少なくとも、前記底板部と前記側板部との間の１辺を底部折目線とし、残りの３辺を底部切断線とし、前記天板部と前記側板部との間の１辺を天部折目線とし、残りの３辺を天部切断線とし、前記８つの側板部のうち１つの隣接する前記正立二等辺三角形と前記倒立二等辺三角形との間の１辺を側部切断線とし、残りの７辺を側部折目線として展開されるシート体からなることを特徴とする組立箱である。
また、請求項２に係る発明は、前記底部切断線に沿って展開される３つの側板部のうち、前記底板部と連接された側板部に隣接する２つの側板部に、それぞれ前記正立二等辺三角形の底辺に沿った底部折目線を挟んで底部補助板部が連接されている、及び／又は、前記天部切断線に沿って展開される３つの側板部のうち、前記天板部と連接された側板部に隣接する２つの側板部に、それぞれ前記倒立二等辺三角形の底辺に沿った天部折目線を挟んで天部補助板部が連接されていることを特徴とする請求項１に記載の組立箱である。
また、請求項３に係る発明は、前記底板部に、前記側板部と連接される一辺と対向する一辺に沿った底部折目線を挟んで底部差込片が連接されている、及び／又は、前記天板部に、前記側板部に連接される一辺と対向する一辺に沿った天部折目線を挟んで天部差込片が連接されていることを特徴とする請求項１又は２に記載の組立箱である。
また、請求項４に係る発明は、前記側部切断線に沿って展開される２つの側板部のうち、一方の側板部に、隣接する前記側板部とは反対側の前記正立又は倒立二等辺三角形の斜辺に沿った側部折目線を挟んで側部差込片が連接され、他方の側板部に、隣接する前記側板部とは反対側の前記倒立又は正立二等辺三角形の斜辺に沿った側部折目線を挟んで側部補助板部が連接され、前記側部補助板部と前記他方の側板部との間に、前記側部折目線に沿った側部差込孔が穿設されていることを特徴とする請求項１乃至３の何れか一項に記載の組立箱である。
また、請求項５に係る発明は、前記側部補助板部が、前記正立又は倒立二等辺三角形に対応した形状を有し、且つ、前記側部補助板部には、隣接する前記側板部とは反対側の斜辺に沿った側部折目線を挟んで側部補助板部が連接されていることを特徴とする請求項１乃至４の何れか一項に記載の組立箱である。
また、請求項６に係る発明は、前記底板部及び前記天板部が、少なくとも前記側部補助板部と折り重なる側板部と対向する側板部以外の側板部に連接されていることを特徴とする請求項４又は５に記載の組立箱である。
【発明の効果】
【００１０】
以上のように、本発明に係る組立箱では、シート体を折り畳んだときの折目線や、シート体を展開したときの切断線を無くすことができるため、組立後の見栄えを良くし、その外観意匠性を高めることができる。また、組み立てが容易な構造のため、その組立作業性も高めることができる。
【発明を実施するための最良の形態】
【００１１】
以下、本発明を適用した組立箱について、図面を参照して詳細に説明する。
図１は、本発明を適用した組立箱１の外観を示す透視斜視図であり、図２は、この組立箱１を展開したシート体２を示す平面図である。なお、図２中において、実線は、シート体２の切断線を示し、破線は、シート体２の折目線を示す。
【００１２】
本発明を適用した組立箱１は、例えば内部に香粧品などの物品を収納する組立式の包装容器（カートン）であり、切断線に沿って展開された紙製のシート体２を折目線に沿って折り曲げることにより組み立てられている。
【００１３】
具体的に、この組立箱１は、正方形Ａからなる底板部３及び天板部４と、底板部３の隣り合う２頂点と天板部４の１頂点とを結ぶ正立二等辺三角形Ｂと、天板部４の隣り合う２頂点と底板部３の１頂点とを結ぶ倒立二等辺三角形Ｃとが交互に隣り合う８つの側板部５ａ〜５ｈと備えた多面体（１０面体）を構成している。
【００１４】
このうち、底板部３と天板部４とは、互いに同一寸法を有し、互いの中心軸を一致させた状態で、その中心軸に対して互いの対角線がなす角度が４５度となるように、互いに平行して配置されている。一方、８つの側板部５ａ〜５ｈは、互いに同一寸法を有し、底板部３と天板部４との間で、正方形Ａにほぼ一致した形状の底部開口部及び天部開口部を有する８面の筒状体を形成している。
【００１５】
そして、この組立箱１００は、底板部３と側板部５ｄとの間の１辺を底部折目線Ｌ１とし、残りの３辺を底部切断線Ｍ１とし、天板部４と側板部５ｃとの間の１辺を天部折目線Ｌ２とし、残りの３辺を天部切断線Ｍ２とし、８つの側板部５ａ〜５ｈのうち１つの隣接する正立二等辺三角形Ｂと倒立二等辺三角形Ｃとの間（側板部５ａ，５ｈの間）の１辺を側部切断線Ｍ３とし、残りの隣接する正立二等辺三角形Ｂと倒立二等辺三角形Ｃとの間（側板部５ａ，５ｂ、側板部５ｂ，５ｃ、側板部５ｃ，５ｄ、側板部５ｄ，５ｅ、側板部５ｅ，５ｆ、側板部５ｆ，５ｇ、側板部５ｇ，５ｈの間）の７辺を側部折目線Ｌ３として展開されたシート体２によって構成されている。
【００１６】
シート体２は、例えば表面に印刷などが施された厚手の紙からなる。このシート体２には、上述した底板部３や、天板部４、８つの側板部５ａ〜５ｈの他にも、８つの側板部５ａ〜５ｈの何れかに連接された２つの底部補助板部６及び２つの天部補助板部７や、底板部３に連接された底部差込片８、天板部４に連接された天部差込片９が設けられている。
【００１７】
具体的に、底部切断線Ｍ１に沿って展開される３つの側板部５ｂ，５ｆ，５ｈのうち、底板部３と連接された側板部５ｄに隣接する２つの側板部５ｂ，５ｆには、それぞれ正立二等辺三角形Ｂの底辺に沿った底部折目線Ｌ１を挟んで底部補助板部６が連接されている。これら２つの底部補助板部６は、組立箱１の底部における型崩れを防ぐために、底板部３の内側に折り込まれる補強部分である。また、２つの底部補助板部６は、底板部３の内側に折り込まれたときに互いの先端部が折り重なるように、その高さ寸法が設定されている。すなわち、この底部補助板部６の高さ寸法は、底板部３の一辺の１／２の長さよりも若干長くなっている。
【００１８】
底板部３には、側板部５ｄと連接される一辺と対向する一辺に沿った底部折目線Ｌ１を挟んで底部差込片８が連接されている。この底部差込片８は、側板部５ｈの内側に差し込まれて底板部３を側板部５ｈに対して固定する固定部分である。また、底部差込片８は、この底部差込片８を差し込み易くするために、その先端側の角部が丸みを帯びた形状を有している。
【００１９】
なお、上記組立箱１を展開したシート体２には、底板部３と３つの側板部５ｂ，５ｆ，５ｈとの間を展開する３つの底部切断線Ｍ１のうち、２つの底部切断線Ｍ１が側板部５ｂ，５ｆの底辺と対向する底板部３側の２辺に残り、１つの底部切断線Ｍ１が側板部５ｈ側の底辺に残ることになる。
【００２０】
天部切断線Ｍ２に沿って展開される３つの側板部５ａ，５ｅ，５ｇのうち、天板部４と連接された側板部５ｃに隣接する２つの側板部５ａ，５ｅには、それぞれ倒立二等辺三角形Ｃの底辺に沿った天部折目線Ｌ２を挟んで天部補助板部７が連接されている。これら２つの天部補助板部７は、組立箱１の天部における型崩れを防ぐために、天板部４の内側に折り込まれる補強部分である。また、２つの天部補助板部７は、天板部４の内側に折り込まれたときに互いの先端部が折り重なるように、その高さ寸法が設定されている。すなわち、この天部補助板部７の高さ寸法は、天板部４の一辺の１／２の長さよりも若干長くなっている。
【００２１】
天板部４には、側板部５ｃに連接される一辺と対向する一辺に沿った天部折目線Ｌ２を挟んで天部差込片９が連接されている。この天部差込片９は、側板部５ｇの内側に差し込まれて天板部４を側板部５ｇに対して固定する固定部分である。また、天部差込片９は、この天部差込片９を差し込み易くするために、その先端側の角部が丸みを帯びた形状を有している。
【００２２】
なお、上記組立箱１を展開したシート体２には、天板部４と３つの側板部５ａ，５ｅ，５ｇとの間を展開する３つの天部切断線Ｍ２のうち、２つの天部切断線Ｍ２が側板部５ａ，５ｅの底辺と対向する天板部４側の２辺に残り、１つの天部切断線Ｍ２が側板部５ｇ側の底辺に残ることになる。
【００２３】
側部切断線Ｍ３に沿って展開される２つの側板部５ａ，５ｈのうち、一方の側板部５ａには、隣接する側板部５ｂとは反対側の倒立二等辺三角形Ｃの斜辺に沿った側部折目線Ｌ３を挟んで側部差込片１０が連接されている。これに対して、他方の側板部５ｈには、隣接する側板部５ｇとは反対側の正立二等辺三角形Ｂの斜辺に沿った側部折目線Ｌ３を挟んで第１側部補助板部１１が連接されている。また、第１側部補助板部１１と他方の側板部５ｈとの間には、側部折目線Ｌ３に沿った側部差込孔１２が穿設されている。
【００２４】
側部差込片１０は、側部差込孔１２に差し込まれて一方の側板部５ａを他方の側板部５ｈに対して固定する固定部分である。また、側部差込片１０は、この側部差込片１０を差し込み易くするために、その先端側の角部が丸みを帯びた形状を有している。一方、側部差込孔１２は、側部差込片１０に対応した幅だけ切り欠かれた線状のスリットからなる。
【００２５】
第１側部補助板部１１は、組立箱１の側部における型崩れを防ぐために、側板部５ａの内側に折り込まれる補強部分である。このため、第１側部補助板部１１は、倒立二等辺三角形Ｃに対応した形状Ｃ’を有している。さらに、この第１側部補助板部１１には、隣接する側板部５ｈとは反対側の斜辺に沿った側部折目線Ｌ３を挟んで第２側部補助板部１３が連接されている。
【００２６】
第２側部補助板部１３は、組立箱１の側部における型崩れを防ぐために、側板部５ｂの内側に折り込まれる補強部分である。具体的に、この第２側部補助板部１３は、第１側部補助板部１１と側板部５ａとの折り重ねられた部分において、底板部３に向かって形状的に細くなる部分を補強するために設けられている。組立箱１では、このような第２側部補助板部１３を設けることで、組立後に第１側部補助板部１１と折り重なった側板部５ａが開いてしまうことを防ぐことができる。なお、第２側部補助板部１３は、正立二等辺三角形Ｂに対応した形状Ｂ’を有するものの、天板部４に向かって形状的に細くなる部分については無駄となるため、この部分がカットされた形状Ｂ’を有している。
【００２７】
なお、上記組立箱１を展開したシート体２には、側板部５ａ，５ｈの間を展開する側部切断線Ｍ３が、側板部５ａ側の側部差込片１０が連接された部分を除く斜辺と、側板部５ｈ側の側部差込孔１２が形成された部分の斜辺とに分かれて残ることになる。
【００２８】
以上のようなシート体２から組立箱１を組み立てる際は、先ず、上述したシート体２を各側板部５ａ〜５ｈと第１側部補助板部１１と第２側部補助板部１３との間の各側部折目線Ｌ３に沿って同一方向に略１３５度の角度で順次折り曲げていく。このとき、第１側部補助板部１１が側板部５ａに折り重なるように、第２側部補助板部１３が側板部５ｂに折り重なるようにする。
【００２９】
次に、図３に示すように、側部折目線Ｌ３に沿って折り曲げられた側部差込片１０を側部差込孔１２に差し込むことによって、側部切断線Ｍ３に沿って展開された一方の側板部５ａを他方の側板部５ｈに対して固定する。これにより、正方形Ａにほぼ一致した形状の底部開口部及び天部開口部を有する８面の筒状体（図示せず。）が形成される。
【００３０】
次に、２つの底部補助板部６を互いの先端部が折り重なるように底部折目線Ｌ１に沿って略９０度に折り曲げた後に、その上から更に底板部３を２つの底部補助板部６に折り重なるように底部折目線Ｌ１に沿って略９０度に折り曲げる。そして、底部折目線Ｌ１に沿って折り曲げられた底部差込片８を側板部５ｈの内側、具体的には２つの底部補助板部と側板部５ｈとの間に差し込むことによって、底部切断線Ｍ１に沿って展開された底板部３を側板部５ｈに対して固定する。これにより、組立箱１の底部が底板部３によって閉塞された状態となる。
【００３１】
同様に、２つの天部補助板部７を互いの先端部が折り重なるように天部折目線Ｌ２に沿って略９０度に折り曲げた後に、その上から更に天板部４を２つの天部補助板部７に折り重なるように天部折目線Ｌ２に沿って略９０度に折り曲げる。そして、天部折目線Ｌ２に沿って折り曲げられた天部差込片９を側板部５ｇの内側、具体的には２つの天部補助板部と側板部５ｇとの間に差し込むことによって、天部切断線Ｍ２に沿って展開された天板部４を側板部５ｇに対して固定する。これにより、組立箱１の天部が天板部４によって閉塞された状態となる。
以上のようにして、上述した図２に示すシート体２から図１に示す組立箱１を組み立てることができる。
【００３２】
以上のような構造を有する組立箱１では、組立後に上述した図５に示す従来の組立箱１００のような不要な罫線１１０が側板部５ａ〜５ｈに残らないため、見栄えを良くし、その外観意匠性を優れたものとすることができる。
【００３３】
ところで、上記組立箱１において、底板部３は、第２側部補助板部１３と折り重なる側板部５ｂと対向する側板部５ｆ以外の側板部５ｄに連接されていることが好ましく、天板部４は、第１側部補助板部１１と折り重なる側板部５ａと対向する側板部５ｅ以外の側板部５ｃに連接されていることが好ましい。
【００３４】
具体的に、この組立箱１では、例えば図４に示すように、底板部３が側板部５ｃに連接されることで、第２側部補助板部１３と折り重ならない側板部５ｇの内側に天部差込片９を差し込むことができるため、この天部差込片９を差し込み易くすることができる。
また、この組立箱１では、側板部５ａに連接された天部補助板部７が、この側板部５ａと第１側部補助板部１１とが折り重なる部分を押さえ込み、この上から更に天板部４が天部補助板部７を押さえ込む構造となるため、組立後に側板部５ａと側板部５ｈとの間を開きにくくすることができる。なお、この組立箱１では、図４に示す天板部４側だけでなく、底板部３側でも同様の効果を得ることができる。
したがって、この組立箱１では、このような組み立てが容易な構造とすることによって、その組立作業性も優れたものとすることができる。
【００３５】
なお、本発明は、上記実施形態のものに必ずしも限定されるものではなく、本発明の趣旨を逸脱しない範囲において種々の変更を加えることが可能である。
例えば、底板部３及び天板部４の形状については、上述した正方形Ａに限らず四角形であればよい。また、底板部３と天板部４とは、互いに異なる寸法（大きさ）であってもよく、中心軸に対して互いの対角線がなす角度が４５度以外の角度であってもよい。さらに、８つの側板部５ａ〜５ｈは、上述した二等辺三角形Ｂ，Ｃに限らず三角形であればよく、正立側と倒立側とが互いに異なる寸法（大きさ）であってもよい。
また、シート体２は、上述した紙製のものに限らず、上記組立箱１を組み立て可能なものであれば、例えばプラスチック製のシート体や、紙の表面に樹脂コーティングしたシート体、紙とプラスチックフィルムとを貼り合わせたシート体などを用いることができる。
また、底板部３や天板部４が側板部５ａ〜５ｈに連接される位置についても適宜変更することができる。
また、上記組立箱１では、側部差込孔１２に差し込まれた側部差込片１０をシールなどで封緘してもよく、或いは、第１側部補助板部１１や第２側部補助板部１３を糊代として側板部５ａ，５ｂに貼り合わせた構造としてもよい。この場合、側部差込片１０や側部差込孔１２を省略することもできる。
なお、本発明は、上述した物品を収納する包装容器以外にも、液体や粉体等を収容する容器などにも適用することができる。
【産業上の利用可能性】
【００３６】
なお、本発明は、例えば香粧品などの外観意匠を重視する物品を収納する包装容器に適用した場合に非常に有効である。
【図面の簡単な説明】
【００３７】
【図１】図１は、本発明を適用した組立箱の外観を示す透視斜視図である。
【図２】図２は、図１に示す組立箱を展開したシート体を示す平面図である。
【図３】図３は、図１に示す組立箱の側部差込片が側部差込孔に挿入される状態を示す斜視図である。
【図４】図４は、図１に示す組立箱の天板部を開けた状態を示す斜視図である。
【図５】図５は、従来の組立箱の外観を示す透視斜視図である。
【図６】図６は、図５に示す組立箱を展開したシート体を示す平面図である。
【符号の説明】
【００３８】
１…組立箱  ２…シート体  ３…底板部  ４…天板部  ５…側板部  ６…底部補助板部  ７…天部補助板部  ８…底部差込片  ９…天部差込片  １０…側部差込片  １１…第１側部補助板部  １２…側部差込孔  １３…第２側部補助板部
【図１】
2007331784.tif 000003
【図２】
2007331784.tif 000004
【図３】
2007331784.tif 000005
【図４】
2007331784.tif 000006
【図５】
2007331784.tif 000007
【図６】
2007331784.tif 000008